(57)【特許請求の範囲】
【請求項１】
物品を収納するための収納部と、床面に対して水平に設けられたベースを有する脚部と、当該脚部によって所定の高さ位置に配置される天板とを備えた家具において、前記ベースを前記収納部の側壁より外側に位置させるとともに、天板の下方に少なくともベースの上下方向厚み寸法分の距離を確保して当該脚部の基端側を収納部に取り付けたことを特徴とする家具。
【請求項２】
前記脚部の基端側を、ブラケットを介して前記収納部の屈曲部に取り付けたことを特徴とする請求項１に記載の家具。
【請求項３】
前記脚部の基端側に設けた湾曲部にフックを取り付けたことを特徴とする請求項１又は２に記載の家具。
【発明の詳細な説明】
【０００１】
【発明の属する技術分野】
本発明は、生徒用デスクなどの家具に関するものであり、より具体的には、収納効率や運搬効率を向上させるようにした家具に関するものである。
【０００２】
【従来の技術】
現在、小学校や中学校などの学校では、生徒の人数に応じた生徒用デスクが使用されている。このデスクは、天板の下方に収納部を設け、また、この収納部を挟んで両側に二本もしくは四本の脚部を設けて構成されたものであり、学校側から発注があった場合に、大量にその生産をして保管や運搬をしなければならないという特質を有するものである。
【０００３】
【発明が解決しようとする課題】
ところが、従来の生徒用デスクは、その脚部の下端部に床面と水平なベースパイプを設けて安定させていることが多い。従って、このようなデスクを保管・運搬しようとして、脚部同士を対向させて重ねる場合、重ね合わされる一方のデスクのベースパイプと他方のデスクの脚部基端部とが干渉し合い、互いにずれた状態となる。また、このような形状を有するデスクに限らず、一般に脚部を直線状に設けている場合は、デスクを完全に重ね合わせることができず、保管や運搬の効率が悪くなるという問題を有していた。
【０００４】
一方、この問題を解決するために、脚部を斜めに設けるとともに、この脚部の基端部を天板の裏側に取り付け、反転させた他方のデスクのベースパイプをこの基端部の横に配置させるようにすることが考えられる。
【０００５】
しかし、このように構成した場合は、一方の家具の脚基端部と他方の家具のベースパイプとが横方向に並ぶため、収納部の取り付けスペースが小さくなってしまうという課題を有していた。
【０００６】
そこで、本発明は上記問題を解決するために、収納部の寸法を可能な限り大きく確保するとともに、運搬時や保管時に重ね合わせ効率を向上させるようにした家具を提供することを目的とするものである。
【０００７】
【課題を解決するための手段】
すなわち、本発明は、上記課題を解決するために、物品を収納するための収納部と、床面に対して水平に設けられたベースを有する脚部と、当該脚部によって所定の高さ位置に配置される天板とを備えた家具において、前記ベースを前記収納部の側壁より外側に位置させるとともに、天板の下方に少なくともベースの上下方向厚み寸法分の距離を確保して当該脚部の基端側を収納部に取り付けたものである。
【０００８】
このように構成すれば、重ね合わせた際に、一方の家具の脚部基端部と他方の家具の脚部下端部とを略縦方向もしくは斜め方向に並ばせることができるので、収納部のスペースを大きく確保することができ、かつ、重ね合わせ時における高さ寸法を低く抑えることができる。
【０００９】
さらに、天板の下方に少なくともベースの上下方向厚み寸法分の距離を確保して当該脚部の基端側を天板の下方に取り付けたので、この確保された部分に、組み合わされる家具のベースを配置させることができる。従って、重ね合わせ時における寸法を小さくすることができ、かつ、収納部の寸法を大きくすることができる。
【００１０】
また、このような発明において、収納部に脚部の基端を取り付ける場合、収納部の屈曲部にブラケットを介して取り付けるようにする。このように、上下左右方向に対して最も強度の強い屈曲部にブラケットを介して補強して取り付ければ、脚部の取付位置を安定させることができる。
【００１１】
また、脚部の基端側に屈曲部を設け、この屈曲部にフックを取り付けるようにすれば、重ね合わせた家具を運搬する際、例えば、上下方向に反転させた家具のベース部分をこのフックによって引っ掛けることができ、重ね合わせた状態における荷崩れを防止することができる。
【００１２】
【発明の実施の形態】
以下、本発明の一実施の形態について図面を参照して説明する。
【００１３】
図１は、本発明の一実施の形態を示すデスク１の斜視図であり、図２は正面図、図３は側面図を示したものである。
【００１４】
このデスク１は、学校などで使用される生徒用のデスクを示したものであり、上面に設けられた天板２と、この天板２の下方に設けられた収納部３と、天板２を所定の高さに位置させるための脚部４とから構成されるものである。
【００１５】
天板２は、使用端側である前端側を長辺とする横長状の長方形状に構成したものであり、コーナ部分および各辺に所定の曲率を持たせて構成したものである。また、この天板２は、その裏面にネジなどを用いて収納部３を取り付けできるように、木製の合板もしくはメラミン化粧板貼りなどによって構成している。
【００１６】
収納部３は、スチール製の薄板を加工して構成したものであり、天板から所定の距離を隔てて設けられた水平状の棚板部３０と、反使用端側である後端側および左右両端側に設けた側壁部３１とを備え、これによって、収納部３の前方に開口部３３を形成したものである。更に、この側壁部３１の上端側を天板２と平行に屈曲させた取付片３２を設けている。
【００１７】
この棚板部３０は、開口部３３から収納部３の奥方に持参物を収納できるようにしたものであり、この棚板部３０の開口部３３近傍に、上方に向けて突出する突出部３００を設けて、収納された教科書や筆記具などが落下しないようにしている。また、この収納部３における前後方向の略中央部分より後方側には、後述するブラケット５の幅と略同一の幅を有する帯状部３０１（図４の帯上部３０１ｄに相当）を設けており、これにブラケット５を位置決めして取り付けできるようにしている。
【００１８】
なお、このブラケット５を介して帯状部３０１に取り付けられた脚部４の脚パイプ４１は、天板２の前後方向における中心線ＣＬ上に位置しないようにし、これによって、デスク１を前後および上下方向に反転させて他のデスク１と重ね合わせた場合にも脚パイプ４１が干渉しないようにしている。
【００１９】
また、このブラケット５を含めた収納部３の左右方向の寸法は、天板１の左右方向の寸法から脚部４の左右厚み寸法を差し引いた寸法とほぼ等しいか、もしくは若干小さくなるように設定している。
【００２０】
脚部４は、ブラケット５を介して収納部３の屈曲部３４、すなわち、棚板部３０と左右の側壁部３１との境界部分にその基端部４０を取り付けるようにしたものであり、天板２の中心点に対して非対称的に設けられた二本の脚パイプ４１と、この脚パイプ４１の下端に設けられたベースパイプ４２によって構成されるものである。また、この左右に設けられた脚パイプ４１には、左右の脚パイプ４１の間隔に対する補強を行うための補強部材４３を設けている。
【００２１】
この脚パイプ４１は、断面を略楕円形状にした金属製のパイプによって構成したものであり、その基端部４０の近傍に湾曲部４４を設けるとともに、基端部４０の外周部分をブラケット５の開口部に合わせて溶接できるようにしたものである。また、この脚パイプ４１は、天板２の前後方向における中心線ＣＬ上からずらして収納部３に取り付けられており、これによって、デスク１を前後および上下方向に反転させて他のデスク１との重ね合わせをできるようにしている。
【００２２】
また、この脚パイプ４１の湾曲部４４にはフック６を取り付けており、鞄などを引っ掛けられるようにしている。なお、このフック６や脚パイプ４１は、天板２の左右両端側からはみ出ないように取り付けており、また、このフック６上端と天板２との距離として、ベースパイプ４２の上下厚み寸法よりも大きな距離を確保して取り付けるようにしている。
【００２３】
ブラケット５は、収納部３の側壁部３１および棚板部３０との外側表面に沿うように略Ｌ字状に構成したものであり、その屈曲部分に、脚パイプ４１の基端部４０の外周と略同一の開口部分を設けたものである。そして、このブラケット５の開口部分に脚パイプ４１の基端部４０をはめ合わせて溶接し、更に、収納部３に設けられた帯状部３０１にこのブラケット５を位置決めして溶接するようにしている。このようにブラケット５を介して脚パイプ４１を取り付けるようにしたのは、収納部３に対する取付作業を容易にするためであり、また、収納部３の屈曲部３４に脚パイプ４１を取り付けるようにしたのは、屈曲部３４に脚パイプ４１を取り付けることによって、荷重の作用に対して収納部３の変形を極力小さくするようにしたためである。
【００２４】
符号４２は、脚パイプ４１の下端部に設けられるベースパイプを示したものである。このベースパイプ４２は、天板２の左右両側辺に対して平行に設けたフレームによって構成されるものであり、その略中央部分に脚パイプ４１を取り付けるとともに、床面に接する部分にガタツキを防止するためのゴム部材４３を取り付けて構成したものである。なお、このベースパイプ４２は、他のデスク１と重ね合わせができるように、収納部３の側壁部３１よりも外側であって天板２の側辺の内側に位置するように設けられている。
【００２５】
次に、このように構成された一対のデスク１、１ｄを重ね合わせる状態について、図４を用いて説明する。なお、図４において、符号ｄを付したものは、他の図において符号ｄを付していないものと同一の構成を有するものである。
【００２６】
同一形状を有する一対のデスク１、１ｄを重ね合わせる場合、まず、デスク１とデスク１ｄとを同一方向に並べ、一方のデスク１ｄを前後方向に反転させ、更に、この状態でデスク１ｄを上下方向に反転させる。そして、天板２ｄを床面側にして脚部３ｄが上方に起立するようにする。そして、デスク１をデスク１ｄに対して前後方向に若干ずらしてデスク１のベースパイプ４２を、デスク１ｄの脚部３ｄの基端部４０ｄとフック６ｄと天板２ｄとの間であって収納部３ｄの側方に配置するようにする。そして、反対側のデスク１ｄのベースパイプ４２ｄも同様に、対向するデスク１の天板２と脚部３の基端部４０とフック６との間であって収納部３の側方に配置するようにし、この状態で、両デスク１、１ｄをスライドさせて天板２、２ｄが平面視同一位置にくるように重ね合わせる。
【００２７】
このように、この実施の形態においては、物品を収納するための収納部３と、脚部４によって所定の高さ位置に配置される天板２とを備え、脚部４の下端部に設けられたベースパイプ４２を前記収納部３の側壁部３１より外側に位置させるとともに、脚部４の基端部４０側を前記収納部３に取り付けるように構成したので、このようなデスクを反転させて重ね合わせた場合に、収納効率や運搬効率を向上させることができ、かつ、収納部３のスペースを大きく確保することができる。
【００２８】
また、この脚部４の基端部４０側を収納部３に取り付ける場合、ブラケットを介して収納部３の屈曲部に取り付けるようにしたので、脚部４を安定させることができるようになる。
【００２９】
更に、脚部４の基端部４０側に湾曲部を設け、この湾曲部にフック６を取り付けるようにしたので、一対のデスクを反転させて抱き合わせた場合、一方のデスクのベースパイプが他方のデスクのフックと天板の間に入り込み、互いのデスクを同時に持ち上げることができる。また、この実施の形態では、フックをベースパイプの厚み分だけ天板の下方に設けるようにしたため、抱き合わされた状態でフック６に外力が作用しても、フックの内側に挟まれているベースパイプの存在によって、フックの大きな変形を防止することができる。
【００３０】
なお、この実施の形態においては、左右に１対の脚部４を設け、更に、その下端に床面に対して水平なベースパイプ４２を取り付ける場合について説明したが、これに限らず、左右に複数本の脚部４を設ける場合についてもこの発明を適用することができる。
【００３１】
また、この実施の形態においては、生徒用デスクを例にとって説明したが、これに限らず、電話台や、収納部を有するピアノ椅子など、収納部を有する様々な家具に適用することができる。
【００３２】
【発明の効果】
本発明は、以上説明したような形態で実施され、以下に記載されるような効果を奏する。
【００３３】
すなわち、本発明は、物品を収納するための収納部と、床面に対して水平に設けられたベースを有する脚部と、当該脚部によって所定の高さ位置に配置される天板とを備えた家具において、前記ベースを前記収納部の側壁より外側に位置させるとともに、天板の下方に少なくともベースの上下方向厚み寸法分の距離を確保して当該脚部の基端側を収納部に取り付けたので、重ね合わせ時における高さ寸法を低く抑えることができ、かつ、収納部を大きく確保することができる。
【００３４】
また、天板の下方に、少なくともベースの上下方向厚み分確保して脚部の基端側を取り付けるように構成したので、この確保された部分に、重ね合わされる家具のベースを配置させることができ、重ね合わせ時における寸法の小型化と収納部の大型化を図ることができる。
【００３５】
更に、脚部の基端側を収納部に取り付ける場合、収納部の屈曲部にブラケットを介して取り付けるようにしたので、大きな荷重が作用した場合であっても、脚部を安定させることができる。
【００３６】
また、脚部の基端側に湾曲部を設け、この湾曲部にフックを取り付けるようにしたので、重ね合わせた家具を運搬する際、上下方向に反転させた家具のベース部分をこのフックによって引っ掛けることができ、荷崩れを防止することができる。
【図面の簡単な説明】
【図１】本発明の一実施の形態を示す生徒用デスクの斜視図。
【図２】同実施の形態を示す正面図。
【図３】同実施の形態を示す側面図。
【図４】同実施の形態における一対のデスクを重ね合わせた状態を示す斜視図。
【符号の説明】
１、１ｄ・・・デスク（家具）
２、２ｄ・・・天板
３、３ｄ・・・収納部
４、４ｄ・・・脚部
５・・・ブラケット
６・・・フック
３１・・・側壁部（側壁）
３４・・・屈曲部
４０、４０ｄ・・・基端部
４２、４２ｄ・・・ベースパイプ（ベース）
４４、４４ｄ・・・湾曲部
【図１】
0003791669.tif 000002
【図２】
0003791669.tif 000003
【図３】
0003791669.tif 000004
【図４】
0003791669.tif 000005